(57)【要約】【課題】本発明は、異なる種類のアンテナを積載できるアンテナホルダーを提供することを目的とする。【解決手段】本発明のアンテナホルダーは、ベースと、前記ベースの頂面に直立する支柱と、前記ベースの底面に設置される足台と、前記支柱を囲んで設けられる活動スリーブと、前記活動スリーブに固定される横ロッド及び２つの絶縁基板と、前記ベース及び前記絶縁基板に対応して設置される定位感応器と、を備え、前記横ロッドは異なる種類の２つのアンテナを積載し、異なる種類の２つの前記アンテナは前記絶縁基板によって隔離され、前記活動スリーブが前記支柱に対して回転するとともに前記絶縁基板及び前記横ロッドを連動して前記支柱に対して回転させて、異なる種類の前記アンテナを切り替え且つ前記アンテナを所定の位置に定位する。【選択図】図１
2013090328.tif 000002
【特許請求の範囲】
【請求項１】
ベースと、前記ベースの頂面に直立する支柱と、前記支柱を囲んで設けられる活動スリーブと、前記活動スリーブに固定される横ロッド及び２つの絶縁基板と、前記ベース及び前記絶縁基板に対応して設置される定位感応器と、を備えてなるアンテナホルダーであって、
前記横ロッドは異なる種類の２つのアンテナを積載し、異なる種類の２つの前記アンテナは前記絶縁基板によって隔離され、前記活動スリーブが前記支柱に対して回転するとともに前記絶縁基板及び前記横ロッドを連動して前記支柱に対して回転させて、異なる種類の前記アンテナを切り替え且つ前記アンテナを所定の位置に定位することを特徴とするアンテナホルダー。
【請求項２】
前記支柱の上端には貫通孔が設けられ、前記貫通孔の内部にはローラーが設置され、前記支柱の外表面の縦方向には、伝動ベルトが設置され、前記伝動ベルトは、前記ローラー及び前記活動スリーブに接続され、前記活動スリーブは前記伝動ベルトに連動されて前記支柱の縦方向に沿って上下に移動することを特徴とする請求項１に記載のアンテナホルダー。
【請求項３】
前記活動スリーブの上端には、２つの接続孔が対向して設けられ、前記活動スリーブの対向する位置には、軸方向に沿って、２つの固定スロットが設けられ、
２つの前記絶縁基板は、前記活動スリーブの２つの固定スロットに固定され、２つの前記絶縁基板双方は、前記ベースに垂直であり、
前記横ロッドは、第一ロッド及び第二ロッドに分けられ、前記第一ロッド及び前記第二ロッドは、前記活動スリーブの２つの接続孔に固定され、前記横ロッドは前記ベースに平行となることを特徴とする請求項１または２に記載のアンテナホルダー。
【請求項４】
前記第一ロッドの前記接続孔に固定されていない一端は、第一アンテナを積載し、前記第二ロッドの前記接続孔に固定されていない一端は、第二アンテナを積載することを特徴とする請求項３に記載のアンテナホルダー。
【請求項５】
前記定位感応器は、前記ベースの頂面に設置される２つのエミッタ及び２つの前記絶縁基板の下方にそれぞれ設置される２つのセンサーを備え、２つの前記エミッタが２つの前記センサーにちょうど対応する際、前記第一アンテナ及び前記第二アンテナを定位することを特徴とする請求項４に記載のアンテナホルダー。
【発明の詳細な説明】
【技術分野】
【０００１】
本発明は、アンテナホルダーに関するものである。
【背景技術】
【０００２】
電磁干渉（Ｅｌｅｃｔｒｏｍａｇｎｅｔｉｃ  Ｉｎｔｅｒｆｅｒｅｎｃｅ，ＥＭＩ）の度合いを測定する場合、アンテナをアンテナホルダーに装着して測定する。
【発明の概要】
【発明が解決しようとする課題】
【０００３】
しかし、異なる測定周波数に対応して、異なる種類のアンテナを装着する必要があり、頻繁にアンテナを取り替えるため、アンテナが損耗しやすく、且つ測定時間が長くかかってしまう可能性がある。また、アンテナを取り替えてから、操作者が手動でアンテナを定位する場合、不十分な定位による測定精度の低下を招く可能性がある。
【０００４】
本発明の目的は、前記課題を解決し、異なる種類のアンテナを積載できるアンテナホルダーを提供することである。
【課題を解決するための手段】
【０００５】
本発明に係るアンテナホルダーは、ベースと、前記ベースの頂面に直立する支柱と、前記支柱を囲んで設けられる活動スリーブと、前記活動スリーブに固定される横ロッド及び２つの絶縁基板と、前記ベース及び前記絶縁基板に対応して設置される定位感応器と、を備え、前記横ロッドは異なる種類の２つのアンテナを積載し、異なる種類の２つの前記アンテナは前記絶縁基板によって隔離され、前記活動スリーブが前記支柱に対して回転するとともに前記絶縁基板及び前記横ロッドを連動して前記支柱に対して回転させて、異なる種類の前記アンテナを切り替え且つ前記アンテナを所定の位置に定位する。
【発明の効果】
【０００６】
従来の技術に比べて、本発明のアンテナホルダーが積載した異なる種類のアンテナを切り替えて、異なる測定周波数の電磁干渉を測定するので、頻繁にアンテナを取り替えることによるアンテナに対する損耗を防止することができ、従ってアンテナの寿命を延長し、定位感応器は、アンテナを精確に定位するので、操作者が手動でアンテナを定位する場合のような、不十分な定位による測定精確度の低下を回避してて、測定精度を確保する。
【図面の簡単な説明】
【０００７】
【図１】本発明の実施形態に係るアンテナホルダーの組立図である。
【図２】図１に示すアンテナホルダーの分解図である。
【発明を実施するための形態】
【０００８】
以下、図面を参照して、本発明の実施形態について説明する。
【０００９】
図１及び図２を参照すると、本発明の実施形態に係るアンテナホルダー１００は、ベース１０と、足台２０と、支柱３０と、活動スリーブ４０と、２つの絶縁基板５０と、横ロッド６０と、定位感応器７０と、を備える。前記足台２０及び前記支柱３０は、前記ベース１０に固定される。前記活動スリーブ４０は、前記支柱３０を囲むように設けられて、前記支柱３０に沿って上下に移動することができる。２つの前記絶縁基板５０は、前記活動スリーブ４０に固定される。前記横ロッド６０は、活動スリーブ４０の軸方向と直交するように前記活動スリーブ４０に固定される。２つの前記絶縁基板５０及び前記横ロッド６０は、前記活動スリーブ４０とともに前記支柱３０に沿って上下に移動することができる。
【００１０】
前記ベース１０は、直方体状の筐体構造を呈し、底面１０１及び頂面１０２を備える。
【００１１】
前記足台２０は、十字状であり、前記ベース１０の底面１０１に接続される。前記足台２０の４つの頂角位置（すなわち、４つの端部）には、それぞれ１つの車輪２１が設置され、前記車輪２１は、前記アンテナホルダー１００を移動するために用いられる。足台２０における各々の前記車輪２１の内側には、支持脚２２がそれぞれに設置され、前記支持脚２２は、前記足台２０が指定した位置に移動されてから、前記アンテナホルダー１００の位置を固定して、前記車輪２１がスライドしないようにする。
【００１２】
前記支柱３０の下端３０１は、前記ベース１０の頂面１０２の中央部に固定されて、前記支柱３０が前記ベース１０の上に直立するようにする。前記支柱３０の上端３０２には、貫通孔３０３が設けられ、前記貫通孔３０３の内部には、ローラー３０４が設置される。前記支柱３０の外表面の縦方向には、伝動ベルト３３が設置され、前記伝動ベルト３３は、前記ローラー３０４に接続され且つ前記貫通孔３０３を貫通し、前記ローラー３０４が回転すると、前記伝動ベルト３３は前記支柱３０の縦方向に沿って伝動する。
【００１３】
前記活動スリーブ４０は、円筒構造であり、前記支柱３０の外表面を囲むように設けられ、且つ前記伝動ベルト３３に接続される。前記活動スリーブ４０は、前記伝動ベルト３３に連動されて前記支柱３０の縦方向に沿って上下に移動する。前記活動スリーブ４０の上端には、２つの接続孔４１が対向して設けられる。前記活動スリーブ４０における平面視で対向する位置には、前記活動スリーブ４０の軸方向に沿って、２つの固定スロット４２が設けられる。前記活動スリーブ４０の下部４３には、係合歯が形成される。前記活動スリーブ４０は、前記支柱３０を囲んで回転することができる。前記支柱３０の下端３０１には、固定スリーブ４５が固定される。前記固定スリーブ４５は、前記ベース１０の頂面１０２に位置する。前記固定スリーブ４５の上端には、係合歯が形成され、前記活動スリーブ４０の下部４３の係合歯と噛み合うことができる。前記固定スリーブ４５の係合歯及び前記活動スリーブ４０の係合歯が互いに噛み合うと、前記活動スリーブ４０は前記固定スリーブ４５に固定される。
【００１４】
２つの前記絶縁基板５０は、どちらも長方形の板状構造であり、前記活動スリーブ４０の２つの固定スロット４２にそれぞれ嵌め込んで、前記活動スリーブ４０に固定される。２つの前記絶縁基板５０双方は、前記ベース１０に垂直となる。各々の前記絶縁基板５０の２つの外表面には、電磁波吸収層５１が形成される。２つの前記絶縁基板５０は、前記活動スリーブ４０とともに前記支柱３０に対して上下に移動するか又は前記活動スリーブ４０の軸方向回りに回動することができる。
【００１５】
前記横ロッド６０は、第一ロッド６１及び第二ロッド６２に分けられる。前記第一ロッド６１及び前記第二ロッド６２は、前記活動スリーブ４０の２つの接続孔４１にそれぞれ固定される。前記横ロッド６０は、前記絶縁基板５０に垂直であり且つベース１０に平行となる。前記横ロッド６０は、前記活動スリーブ４０とともに前記支柱３０に対して上下に移動するか又は前記活動スリーブ４０の軸方向回りに回動することができる。前記第一ロッド６１の前記接続孔４１に固定されていない一端は、第一アンテナ８１を積載し、前記第二ロッド６２の前記接続孔４１に固定されていない一端は、第二アンテナ８２を積載する。前記第一アンテナ８１及び前記第二アンテナ８２は、異なる種類のアンテナであり、異なる測定周波数の電磁干渉を測定するために用いられる。前記第一アンテナ８１及び前記第二アンテナ８２は前記絶縁基板５０の両側に設置され、換言すると前記絶縁基板５０で前記第一アンテナ８１及び前記第二アンテナ８２を隔離する。前記絶縁基板５０の電磁波吸収層５１は、前記第一アンテナ８１及び前記第二アンテナ８２それぞれが測定するときに、他方側からの電磁波を測定しないようにするためのものである。
【００１６】
前記定位感応器７０は、２つの赤外線エミッタ７１及び２つの赤外線センサー７２を備える。２つの前記赤外線エミッタ７１は、前記ベース１０の頂面１０２に設置され、且つ前記支柱３０に対して対称となるように配置される。２つの前記赤外線センサー７２は、２つの前記絶縁基板５０の下方にそれぞれ設置される。２つの前記赤外線エミッタ７１は、２つの前記赤外線センサー７２に対応する。前記定位感応器７０は、赤外線感応器である。
【００１７】
前記アンテナホルダー１００の前記横ロッド６０の両端に異なる種類の前記第一アンテナ８１及び前記第二アンテナ８２を積載して電磁干渉を測定する。測定周波数を３０ＭＨｚ〜１ＧＨｚとして測定する場合、前記第一アンテナ８１を使用する。測定の際には、前記足台２０を利用して前記アンテナホルダー１００の水平方向の位置を移動し、前記伝動ベルト３３を利用して前記支柱３０の縦方向に沿って前記活動スリーブ４０を移動させ、且つ前記活動スリーブ４０を前記活動スリーブ４０の軸方向回りに回転して、前記赤外線エミッタ７１が前記赤外線センサー７２にちょうど対応するようにして、前記第一アンテナ８１の位置を確定する。
【００１８】
続いて、測定周波数を１ＧＨｚ〜１８ＧＨｚとして測定する場合、前記第二アンテナ８２を使用する。測定の際には、前記活動スリーブ４０を前記活動スリーブ４０の軸方向回りに回転することにより、前記横ロッド６０を前記支柱３０に対して１８０度回転させ、前記赤外線エミッタ７１は前記赤外線センサー７２にちょうど対応し、前記第二アンテナ８２は前記第一アンテナ８１の測定時の位置に移動されて、前記第二アンテナ８２で電磁干渉を測定することができる。従って、従来の技術のように測定前に使用されていたアンテナを取り外すことを必要とせず、且つ操作者が手動でアンテナを定位することも必要としない。
【００１９】
前記アンテナホルダー１００が積載した異なる種類の第一アンテナ８１及び第二アンテナ８２を切り替えて、異なる測定周波数の電磁干渉を測定するので、頻繁にアンテナを取り替えることによるアンテナに対する損耗を防止することができ、従ってアンテナの寿命を延長する。前記定位感応器７０は、前記アンテナを精確に定位するので、操作者が手動でアンテナを定位する場合のような、不十分な定位による測定精度の低下を回避して、測定精度を確保する。
【００２０】
以上、本発明を実施例に基づいて具体的に説明したが、本発明は、上述の実施例に限定されるものではなく、その要旨を逸脱しない範囲において、種々の変更が可能であることは勿論であって、本発明の技術的範囲は、以下の特許請求の範囲から決まる。
【符号の説明】
【００２１】
１０  ベース
２０  足台
２１  車輪
２２  支持脚
３０  支柱
３３  伝動ベルト
４０  活動スリーブ
４１  接続孔
４２  固定スロット
４３  下部
４５  固定スリーブ
５０  絶縁基板
５１  電磁波吸収層
６０  横ロッド
６１  第一ロッド
６２  第二ロッド
７０  定位感応器
７１  赤外線エミッタ
７２  赤外線センサー
８１  第一アンテナ
８２  第二アンテナ
１００  アンテナホルダー
１０１  底面
１０２  頂面
３０１  下端
３０２  上端
３０３  貫通孔
３０４  ローラー
【図１】
2013090328.tif 000003
【図２】
2013090328.tif 000004